(57)【要約】【課題】ガスコンロ本体が備える制御部の動作に支障が生じたり、制御部が故障したりしたときにも、調理設定部において、使用者が設定した調理条件（設定情報）に応じて調理を行うことが可能な、使い勝手の良好なガス調理器を提供する。【解決手段】ガス調理器本体Ｈと、平面視中央に貫通口を有するガスバーナと、該貫通口を貫通するように配設された調理容器温度検出手段と、ガスバーナによる加熱を制御し、自動調理を実行する制御部２０と、自動調理における調理条件を設定する調理設定部とを備えたガス調理器において、ガス調理器本体が、調理設定部における設定情報を記憶する設定情報記憶部３４を具備する外部機器２Ｘとの間で通信信号の送受信を行う送受信部２２を備え、ガス調理器本体の制御部から外部機器に対して設定情報が送信され、設定情報記憶部３４に設定情報が記憶されるように構成する。【選択図】図５
2019002633.tif 000002
【特許請求の範囲】
【請求項１】
上面がトッププレートにより覆われたガス調理器本体と、
前記ガス調理器本体内に配設されたガスバーナであって、その炎孔部を前記トッププレートに設けられた開口部から前記トッププレートの上方に突出させ、かつ、平面視中央に貫通口が設けられたガスバーナと、
前記ガスバーナの前記貫通口を上下に貫通するように配設され、調理容器の温度を検出する調理容器温度検出手段と、
前記ガスバーナによる加熱を制御する制御部であって、前記ガスバーナによる調理終了時に前記ガスバーナによる加熱を停止する自動調理を実行する制御部と、
前記自動調理における調理条件を設定する調理設定部と
を備えたガス調理器であって、
前記ガス調理器本体は、前記調理設定部における設定情報を記憶する設定情報記憶部を具備する外部機器との間で通信信号の送受信を行う送受信部を備えており、
前記ガス調理器本体の前記制御部から前記外部機器に対して、前記設定情報が送信され、前記設定情報記憶部に記憶されるように構成されていること
を特徴とするガス調理器。
【請求項２】
無線通信によって、前記外部機器への前記設定情報の送信が行われるように構成されていることを特徴とする請求項１記載のガス調理器。
【請求項３】
無線中継器を介して、インターネットにより、前記外部機器への前記設定情報の送信が行われるように構成されていることを特徴とする請求項２記載のガス調理器。
【請求項４】
前記送受信部が、携帯電話回線を介して、前記外部機器との間で通信信号の送受信を行うことで、前記外部機器への前記設定情報の送信が行われるように構成されていることを特徴とする請求項２記載のガス調理器。
【請求項５】
該ガス調理器には、該ガス調理器を特定するＩＤコードが付与されており、前記外部機器の前記設定情報記憶部には、前記ＩＤコードとともに前記設定情報が記憶されるように構成されていることを特徴とする請求項３または４記載のガス調理器。
【発明の詳細な説明】
【技術分野】
【０００１】
本発明は、ガス調理器に関し、詳しくは、設定された所定の調理条件下で意図するような調理を行うことができるように構成されたガス調理器に関する。
【背景技術】
【０００２】
ガス調理器の中には、使用者が調理条件を設定して、意図するような調理を自動的に行うことができるように構成されたガス調理器がある。
【０００３】
そのような燃焼機器の一つとして、特許文献１には、複数のコンロ部にそれぞれ点火・消火を手動操作で行うための点火・消火操作部を設けるとともに、コンロ部で自動調理を行うための調理設定部を設けたガスコンロ（ガス調理器）が開示されている。
【０００４】
この特許文献１のガス調理器においては、調理設定部により、使用者の好みに応じた設定を行って、自動調理を実行することが可能になる。
【０００５】
つまり、このガス調理器においては、調理設定部において、使用者の好みに応じた設定を行うことが可能で、この使用者の好み応じた設定に関する情報、すなわち、設定情報を制御部に記憶させておくことにより、使用の都度、調理設定部に関する設定を行うことを必要とせずに、自動調理を行うことが可能で、使い勝手の良好なガス調理器を提供することができて有意義である。
【先行技術文献】
【特許文献】
【０００６】
【特許文献１】特開２００９−２４３７６３号公報
【発明の概要】
【発明が解決しようとする課題】
【０００７】
しかしながら、ガス調理器における調理設定部に関する設定情報をガス調理器が備える情報記憶手段に記憶させておき、ガス調理器を使用する際に、この情報記憶手段が記憶している設定情報に応じて、調理条件が設定されるように構成した場合、以下のような課題が生じる。
【０００８】
すなわち、近年のガス調理器（ガスコンロ）は、加熱対象である調理容器の底部に当接して、調理容器の底部の温度を検出する温度検出装置（温度センサ）を備えるものが主流であり、その場合、ガス調理器（ガスコンロ）における加熱手段であるコンロバーナの中央にはコンロバーナを上下に貫通する貫通口が設けられ、この貫通口を上記温度検出装置が上下に貫通するように配設されることになる。
【０００９】
そして、温度検出装置の一部を調理容器の上下動に追随して上下動させることができるように、通常は、上記貫通口と温度検出装置との間に間隙が存在するように構成されることから、この間隙を経て、調理容器から溢れた煮汁や調理油などがガス調理器（ガスコンロ）本体内に侵入するおそれがある。
【００１０】
これに対し、近年のガス調理器（ガスコンロ）の場合、調理容器から溢れた煮汁や調理油などがガス調理器（ガスコンロ）本体内に侵入した場合にも、ガス調理器（ガスコンロ）本体内に備える制御部の動作に支障が生じないような策は講じられているのが一般的である。
【００１１】
しかしながら、調理容器から溢れた煮汁や調理油などがガス調理器（ガスコンロ）本体内に侵入することで、万が一、制御部の動作に支障が生じたり、制御部が故障したりした場合には、調理設定部において、使用者の好みに応じた調理条件の設定を行うことができたとしても、制御部が正常に動作しなければ、設定した調理条件に従って自動調理を行うことができなくなるという問題点があり、改善の余地がある。
【００１２】
本発明は、上記の課題を解決するものであり、ガス調理器が備える制御部の動作に支障が生じたり、制御部に故障が生じたりしたときにも、調理条件を設定する調理設定部において、使用者によって設定された調理条件（設定情報）に応じた自動調理を行うことが可能な、使い勝手の良好なガス調理器を提供することを目的とする。
【課題を解決するための手段】
【００１３】
上記の目的を達成するために、本発明のガス調理器は、
上面がトッププレートにより覆われたガス調理器本体と、
前記ガス調理器本体内に配設されたガスバーナであって、その炎孔部を前記トッププレートに設けられた開口部から前記トッププレートの上方に突出させ、かつ、平面視中央に貫通口が設けられたガスバーナと、
前記ガスバーナの前記貫通口を上下に貫通するように配設され、調理容器の温度を検出する調理容器温度検出手段と、
前記ガスバーナによる加熱を制御する制御部であって、前記ガスバーナによる調理終了時に前記ガスバーナによる加熱を停止する自動調理を実行する制御部と、
前記自動調理における調理条件を設定する調理設定部と
を備えたガス調理器であって、
前記ガス調理器本体は、前記調理設定部における設定情報を記憶する設定情報記憶部を具備する外部機器との間で通信信号の送受信を行う送受信部を備えており、
前記ガス調理器本体の前記制御部から前記外部機器に対して、前記設定情報が送信され、前記設定情報記憶部に記憶されるように構成されていること
を特徴としている。
【００１４】
また、本発明のガス調理器においては、無線通信によって、前記外部機器への前記設定情報の送信が行われるように構成されていることが好ましい。
【００１５】
また、無線中継器を介して、インターネットにより、前記外部機器への前記設定情報の送信が行われるように構成されていることが好ましい。
【００１６】
また、前記送受信部が、携帯電話回線を介して、前記外部機器との間で通信信号の送受信を行うことで、前記外部機器への前記設定情報の送信が行われるように構成されていることが好ましい。
【００１７】
また、該ガス調理器には、該ガス調理器を特定するＩＤコードが付与されており、前記外部機器の前記設定情報記憶部には、前記ＩＤコードとともに前記設定情報が記憶されるように構成されていることが好ましい。
【発明の効果】
【００１８】
本発明のガス調理器は、ガス調理器本体と、ガスバーナと、ガスバーナの貫通口を上下に貫通するように配設され、調理容器の温度を検出する調理容器温度検出手段と、ガスバーナによる加熱を制御し、ガスバーナによる調理終了時にガスバーナによる加熱を停止する自動調理を実行する制御部と、調理条件を設定する調理設定部とを備えたガス調理器において、ガス調理器本体は、調理設定部における設定情報を記憶する設定情報記憶部を具備する外部機器との間で通信信号の送受信を行う送受信部を備え、制御部から外部機器に対して、設定情報が送信され、設定情報記憶部に設定情報が記憶されるように構成されているので、ガス調理器本体が備える制御部の動作に支障が生じたり、制御部が故障したりしたときにも、使用者によって設定された調理条件に関する設定情報に応じて、調理設定部の設定が行われるように構成された使い勝手の良いガス調理器を提供することができる。
【００１９】
また、無線通信によって、外部機器への設定情報の送信が行われるように構成した場合、外部機器との間で通信信号の送受信を行うための配線の接続が不要になり、構成が簡潔で、使い勝手の良好なガス調理器を提供することが可能になる。
【００２０】
また、無線中継器を介して、インターネットにより、外部機器への設定情報の送信が行われるように構成されている場合、外部機器がガス調理器から離れた場所にあっても、設定情報を外部機器に確実に送信することが可能で、設置位置の自由度が高く、使い勝手の良好なガス調理器を提供することができる。
【００２１】
また、ガス調理器送受信部が、携帯電話回線を介して、ガス調理器外部機器との間で通信信号の送受信を行うことで、ガス調理器外部機器へのガス調理器設定情報の送信が行われるように構成されている場合も、外部機器がガス調理器から離れた場所にあっても、設定情報を外部機器に確実に送信することが可能で、設置位置の自由度が高く、使い勝手の良好なガス調理器を提供することができる。
【００２２】
また、該ガス調理器には、該ガス調理器を特定するＩＤコードが付与されており、外部機器の設定情報記憶部には、ＩＤコードとともに設定情報が記憶されるように構成されている場合、一つの外部機器が備える設定情報記憶部に複数のガス調理器に関する設定情報を記憶させた場合であっても、記憶させた設定情報がいずれのガス調理器に関する設定情報であるかを確実に認識することができる。したがって、一つの外部機器によって複数のガス調理器の設定情報を記憶しても、それぞれの設定情報がいずれのガス調理器に関する設定情報であるかを確実に認識することが可能になり、一つの外部機器の設定情報記憶部に複数のガス調理器に関する設定情報を記憶させる場合においても、十分な信頼性を確保することができる。
【図面の簡単な説明】
【００２３】
【図１】本発明の一実施形態にかかるガス調理器の全体構成を示す斜視図である。
【図２Ａ】本発明の一実施形態にかかるガス調理器のコンロ部の調理設定部を示す正面図である。
【図２Ｂ】本発明の一実施形態にかかるガス調理器のグリルの調理設定部を示す正面図である。
【図３Ａ】本発明の一実施形態にかかるガス調理器のコンロバーナおよびグリルバーナへのガス供給経路を説明する図である。
【図３Ｂ】本発明の一実施形態にかかるガスコンロのガス弁ブロックを示す概略断面図である。
【図３Ｃ】本発明の一実施形態にかかるガスコンロのコンロバーナの断面図である。
【図４Ａ】本発明の一実施形態にかかるガス調理器と外部機器との無線通信の概要を示す図である。
【図４Ｂ】本発明の一実施形態にかかるガス調理器と外部機器との無線通信の変形例の概要を示す図である。
【図４Ｃ】本発明の一実施形態にかかるガス調理器と外部機器との無線通信の他の変形例の概要を示す図である。
【図４Ｄ】本発明の一実施形態にかかるガス調理器と外部機器との無線通信のさらに他の変形例の概要を示す図である。
【図５】本発明の一実施形態にかかるガス調理器と外部機器との無線通信の概要を示すブロック図である。
【図６】本発明の別実施形態にかかるガス調理器と外部機器との無線通信の概要を示すブロック図である。
【発明を実施するための形態】
【００２４】
以下、本発明の実施形態を示して、その特徴とするところをさらに詳しく説明する。
【００２５】
［実施形態］
以下、本発明の一実施形態にかかるガス調理器について、添付図面を参照しつつ説明を行う。なお、この実施形態にかかるガス調理器は、コンロ部とグリル部を備えたビルトイン型のガスコンロである。
【００２６】
＜ガスコンロの基本構成＞
図１に示すように、この実施形態にかかるガス調理器（ガスコンロ）１は、ガス調理器本体Ｈと、その天面部を構成するトッププレート１１に複数の加熱部２が設けられている。この実施形態では加熱部２として、向かって左側および右側に２つの高火力のコンロバーナ（ガスバーナ）３１を備えたコンロ部２ａが設けられている。トッププレート１１の上面には各コンロバーナ３１を中心にして五徳４１が設けられており、コンロバーナ３１と五徳４１と、点火装置２３および点火検知装置２４（図３Ａ参照）とにより、加熱部２としてのコンロ部２ａが構成されている。
【００２７】
なお、点火装置２３は、入力回路（高圧トランスの１次側巻き線を含む）が一つに対して出力回路（高圧トランスの２次側巻き線）が各バーナの数だけ備えられており、一つの入力回路への通電により各々の前記出力回路（高圧トランスの２次側巻き線）に高電圧が発生し、各バーナの全てに点火用放電のための高電圧が供給されるように構成されている。
【００２８】
各コンロ部２ａには、図３Ｃに示すように、五徳４１上に載置される調理容器を検知する容器検知手段２５と、調理容器の下面の温度を検知する調理容器温度検出手段（温度センサ）２６とが設けられている。
容器検知手段２５は、ガス調理器本体Ｈに固定される支持部２５ａと、支持部２５ａに上下方向に移動自在に支持される可動部２５ｂと、可動部２５ｂの上下位置を検知する検知スイッチ２５ｃとにより構成されている。
【００２９】
可動部２５ｂはばね等の付勢手段（図示せず）により上方に付勢され、その上端部は五徳４１よりも上方に突出するように構成されている。この状態で五徳４１上に調理容器が載置されると、可動部２５ｂの上端部が調理容器の下面に押し下げられ、可動部２５ｂの下動に伴い検知スイッチ２５ｃにより下動が検知され、後述する制御部２０（後述の図５図参照）に認識される。そして、可動部２５ｂの上端部には調理容器温度検出手段（温度センサ）２６が設けられており、調理容器が五徳４１上に載置されたときに調理容器温度検出手段（温度センサ）２６が調理容器の下面に当接して温度を検知し、検知された温度は制御部に認識されるように構成されている。
【００３０】
また、ガス調理器本体Ｈには、図１に示すように、加熱部２としてのグリル部２ｂが設けられている。グリル部２ｂは、ガス調理器本体Ｈ内の中央部に形成されるグリル庫と、グリル庫内に設けられる加熱手段としてのグリルバーナ（図示せず）と、点火装置２３（図示せず）および点火検知装置２４（図示せず）とで構成されている。グリル部２ｂの前端はガス調理器本体Ｈの前面部１２に開口しており、グリル扉２８によって開閉することができるように構成されている。
【００３１】
点火検知装置２４は、コンロバーナ（ガスバーナ）３１およびグリルバーナに設けられる熱電対から構成されており、点火されると火炎の熱により発生する熱起電力が制御部に認識される。
【００３２】
グリル扉２８の両側には、図１に示すように、グリル扉２８とともにガス調理器本体Ｈの前面部１２を構成する前面パネルＰ１、Ｐ２が設けられており、左側の前面パネルＰ１の上側には、左側のコンロバーナ３１を点火／消火するための点消火ボタン１４ａが設けられている。また、右側の前面パネルＰ２の上側の左側より、グリルバーナを点火／消火するための点消火ボタン１４ｂ、右側のコンロバーナ３１を点火／消火するための点消火ボタン１４ｃが設けられている。そして、これら点消火ボタン１４（１４ａ、１４ｂ、１４ｃ）が、加熱部２における加熱の開始／加熱の停止を手動で行うための加熱／停止手動操作部を構成している。
【００３３】
また前面部１２には、各加熱部２の加熱量を手動で調節するための加熱量手動操作部となる火力調節レバー１５（１５ａ、１５ｂ、１５ｃ）が、それぞれ各点消火ボタン１４ａ、１４ｂ、１４ｃの上に設けられている。
【００３４】
ガス弁ブロック６は、図３Ｂに示すように、器具栓本体６０に、内部のガス流路６１と、ガス流路６１の上流端となる導入口６１ａおよび下流端となる導出口６１ｂとが設けられている。
【００３５】
内部のガス流路６１には、上流側より安全弁６２用の弁孔、メイン弁６３用の弁孔が設けられている。メイン弁６３用の弁孔の下流側は、大火用の流路６１ｃと小火用の流路６１ｄとが並列に設けられており、大火用の流路６１ｃに大火力／小火力切替用のラッチ式電磁弁ＬＢ１用の弁孔が設けられており、小火用の流路６１ｄにラッチ式電磁弁ＬＢ２用の弁孔が設けられている。
【００３６】
ラッチ式電磁弁ＬＢ１の弁孔の下流側と、ラッチ式電磁弁ＬＢ２の下流側に位置する小火用オリフィスｏｆ２の下流側で大火用の流路６１ｃと小火用の流路６１ｄとが合流するように構成されており、さらにその下流側には、火力調節レバー１５と連動する流量制御弁６５用の弁孔が設けられている。
【００３７】
因みに、上述した容器検知手段２５により調理容器が検知されていないときに点消火ボタン１４を操作した場合には、制御部によりラッチ式電磁弁ＬＢ１およびラッチ式電磁弁ＬＢ２が閉止されて、加熱を開始しないようにする容器検知制御が行われる。これにより、五徳４１上に調理容器が載置されていない場合にはコンロバーナ３１に炎が形成されないようにすることができる。
【００３８】
また、ガス流路６１には、前記ラッチ式電磁弁ＬＢ１およびラッチ式電磁弁ＬＢ２を設けた部分をバイパスするバイパス流路ＢＰが設けられており、このバイパス流路ＢＰにバイパス用オリフィスｏｆ１が設けられている。バイパス用オリフィスｏｆ１は、ガス弁ブロック６を複数器種で共用するために設けられるもので、ガス弁ブロック６を他の機種への応用において使用するときには開口される場合があるが、この実施形態においては、バイパス用オリフィスｏｆ１は閉塞体（図示せず）により閉塞されている。
【００３９】
火力調節レバー１５を中火から大火の間の位置に設定しておいたときに、コンロバーナ３１の火力は、ラッチ式電磁弁ＬＢ１とラッチ式電磁弁ＬＢ２の開・閉の組み合わせに応じて、制御部により、表１に示されているような態様で調整制御される。
【００４０】
【表１】
2019002633.tif 000003
【００４１】
なお、ラッチ式電磁弁ＬＢ１、ＬＢ２は、開弁用の極性のパルス電流の通電により開放状態に移行し、その後は通電を停止した後にも開放状態を維持し、閉弁用の極性（開弁用とは逆極性）のパルス電流の通電により閉止状態に移行し、その後は通電を停止した後にも閉止状態を維持する。このとき電流のパルス幅は２００〜３００ｍ秒に設定されており、コンロの火力を種々の状態に維持する場合にも省電力であることから、機器の電源として乾電池が用いられる場合に特に好適に用いられる。
【００４２】
流量制御弁６５用の弁孔の下流側は、コンロバーナ３１にガスを供給するための導出口６１ｂに至る。器具栓本体６０には、スライダ６６が前後方向に移動自在に取り付けてあり、スライダ６６は前端面が点消火ボタン１４に組み込まれたチャイルドロック用スライド部（図示せず）により後方に押圧されることで後退するように構成されている。
【００４３】
チャイルドロック用スライド部が内部に組み込まれた点消火ボタン１４は、前後動自在に設けられるもので、前記点消火ボタン１４の指で押される部分よりも上側の部分がコンロ本体側に枢支されて指で押される部分が前後動し、スライダ６６の前端面を後方に押圧する。スライダ６６には、例えば既存のハート型カム等からなる前位置と後位置の切替機構（図示せず）が設けられており、前記点消火ボタン１４を押し操作する毎に、スライダ６６が後位置から前進して前位置に位置したり、前位置から後退して後位置に位置したりして、前位置と後位置とが切り替わって保持されるように構成されている。
【００４４】
また、スライダ６６の進退に伴って進退するバルブロッド６７が設けられている。バルブロッド６７の先端側はガス流路６１内に挿入され、その先端部は後方すなわち下流側より上流側に向けて、メイン弁６３用の弁孔と安全弁６２用の弁孔とに挿通されている。
【００４５】
バルブロッド６７は、スライダ６６が前位置から後位置に切り替わる際、一旦後位置よりも後方の最後位置に後退してから後位置にまで前進するが、この最後位置に移動したときに、安全弁６２用の弁孔を上流側より閉止している安全弁６２の弁体を上流側に移動させて、安全弁６２用の弁孔を開放する。
【００４６】
なお、このような手動点火／消火操作部の構成は周知であるので詳細な説明は省略する。
【００４７】
安全弁６２は電磁弁からなり、弁体が前方すなわち下流側に前進することで安全弁６２用の弁孔を後方より閉止し、弁体が後方すなわち上流側に後退することで安全弁６２用の弁孔を開放する。
【００４８】
安全弁６２は、点火検知装置２４により火炎が検知されている場合にのみ制御部により開放状態が維持され、火炎が検知されなくなると制御部による開放状態の維持が停止して閉止される。これにより、煮こぼれや風により立ち消えが起こって点火検知装置２４の火炎が検知されなくなった場合に、燃料ガスの流出が防止される。また、調理容器温度検出手段（温度センサ）２６により検知された調理容器の下面の温度が所定の温度（例えば２５０℃）に達すると、空焚きや焦げ付き等の異常が発生していると判定して、安全弁６２を閉止する。このように、安全弁６２、点火検知装置２４、調理容器温度検出手段（温度センサ）２６により異常検知手段が構成されている。
【００４９】
バルブロッド６７の途中には、メイン弁６３用の弁孔を開閉するメイン弁体が設けられている。そして、スライダ６６が前位置に位置しているときにはメイン弁体がメイン弁６３用の弁孔を後方より閉止し、スライダ６６が後位置に位置しているときにはメイン弁体がメイン弁６３用の弁孔より後方に位置してメイン弁６３用の弁孔を開放する。
【００５０】
流量制御弁６５用の弁孔は、火力調整用のニードル６５ａの前後方向の移動により開度が自在に調節される。ニードル６５ａは、火力調節レバー１５を操作することで、開度の調節がなされ、火力調節レバー１５が右に行く程、燃料ガスの供給量が多くなるように調節される。
【００５１】
また、ガス調理器（ガスコンロ）１は、点消火ボタン１４またはスライダ６６の位置によりＯＮ／ＯＦＦが切り替わる器具栓スイッチ（図示せず）を備えている。器具栓スイッチは、点消火ボタン１４（またはスライダ６６）が前位置に位置しているときにはＯＦＦとなり、後位置（最後位置も含む）に位置しているときにＯＮとなる。
【００５２】
コンロバーナ３１、グリルバーナの点火を行うには、点消火ボタン１４を押し操作して、スライダ６６を前位置から後位置に後退させる。スライダ６６とともに後退したバルブロッド６７により、安全弁６２が開放されるとともにメイン弁６３が開放され、燃料ガスがコンロバーナ３１、グリルバーナに供給される。
また、スライダ６６が後退することにより器具栓スイッチがＯＮとなり、制御部への給電がＯＮとなって制御部が動作を開始する。
【００５３】
点消火ボタン１４が押し操作されて、加熱が開始されると、火力調節レバー１５を操作することで、所望の火力が得られる。なお、左側のコンロバーナ３１を備えたコンロ部２ａの火力調節レバー１５は、該コンロ部２ａの操作部を操作して点火を行うとき、操作部の操作と連動して火力が中火力側に移動するように構成されており、点火時には中程度の火力となるように構成されている。
【００５４】
スライダ６６を前位置にすると、メイン弁６３が閉止して消火し、器具栓スイッチがＯＦＦになり、安全弁６２が閉止するとともに電源保持信号の出力が停止して制御部への給電が終了する。
【００５５】
＜コンロの自動調理＞
次に、この実施形態にかかるガス調理器（ガスコンロ）１の自動調理について説明する。
図１に示すように、ガス調理器本体Ｈの左側の前面パネルの下側には、コンロ用の調理設定部７（図２Ａ）が設けられている。
また、図１に示すように、ガス調理器本体Ｈの右側の前面パネルの右下の左側には、グリル用の調理設定部９３（図２Ｂ）が設けられているが細部については後述する。また、図１に示すように、ガス調理器本体Ｈの右側の前面パネルの右下の右側には、マイクロコンピュータからなる制御部の電源となる電池が収容される電池ケース１３が設けられている。
【００５６】
コンロ用の調理設定部７は、図２Ａに示すように、揚げもの、湯わかし、炊飯の自動調理のメニュー（オートメニュー）を設定するための一組のオートメニュー設定部７１およびオートメニュー表示部７２と、調理時間を設定するためのタイマ入力部７３およびタイマ表示部７４とを備えている。
【００５７】
オートメニュー設定部７１として、揚げものスイッチ７１ａと、湯わかしスイッチ７１ｂと、炊飯スイッチ７１ｃとが設けられている。揚げものモードは、コンロバーナ３１の点火後、使用者により設定された温度に達するようにコンロバーナ３１の火力を自動調節する自動調理モードであり、揚げものスイッチ７１ａは、何回押すかで２００℃、１８０℃、１６０℃といった複数種類の揚げものの調理の中から目的とする温度の揚げもの調理が設定できるとともに、揚げもの表示部７２ａに前記設定が表示されるように構成されている。
【００５８】
また、湯わかしモードや炊飯モードは、コンロバーナ３１の点火後、予め設定された燃焼条件で燃焼させ、湯わかしや炊飯の完了が予測される時点で自動的にコンロバーナ３１を消火する自動調理モードである。
【００５９】
湯わかしスイッチ７１ｂは、何回押すかで自動消火、５分保温といった、湯わかし後にすぐ消火するか、あるいは一定時間保温するかというような湯わかしの態様を選択して設定することができるように構成されているとともに、湯わかし表示部７２ｂに前記設定が表示されるように構成されている。また、炊飯スイッチ７１ｃは、何回押すかでごはん、おかゆといった複数種類の炊飯調理モードの中から目的とする炊飯調理モードを設定することができるように構成されているとともに、炊飯表示部７２ｃに前記設定が表示されるように構成されている。
【００６０】
揚げものモードを選択して、制御部によって揚げものモードが実行される場合を一例として、ラッチ式電磁弁ＬＢ１について詳しく説明する。
【００６１】
揚げものスイッチ７１ａを押し操作し、揚げものモードを選択してコンロバーナ３１に点火すると、制御部によって揚げものモードが実行され、制御部は、調理容器温度検出手段（温度センサ）２６により検出される調理容器の温度を設定された温度（２００℃、１８０℃、１６０℃の何れか）に維持すべく、ラッチ式電磁弁ＬＢ１を開閉し、コンロバーナ３１の火力を大火力と小火力とに切替える。
【００６２】
詳述すると、調理容器温度検出手段（温度センサ）２６により検出される調理容器の温度の値が設定された温度より大きいときは、ラッチ式電磁弁ＬＢ１を閉弁して、図３Ｂに示す小火用オリフィスｏｆ２を備えた小火用流路６１ｄのみからコンロバーナ３１にガスが供給されて、コンロバーナ３１の火力が小火力になり、また、調理容器温度検出手段（温度センサ）２６により検出される調理容器の温度が設定された温度より小さいときはラッチ式電磁弁ＬＢ１を開弁して、小火用オリフィスｏｆ２を備えた小火用流路６１ｄとラッチ式電磁弁ＬＢ１の両方の流路からコンロバーナ３１にガスが供給されて、コンロバーナ３１の火力が大火力になるように構成されている。
【００６３】
上述のように、この実施形態のガス調理器（ガスコンロ）１においては、コンロバーナ３１によって自動調理を行うことが可能で、コンロバーナ３１による自動調理には、制御部が自動的にコンロバーナ３１の燃焼を停止する調理モードが含まれている。
【００６４】
＜グリルの自動調理＞
次に、グリルの自動調理について説明する。この実施形態のガス調理器（ガスコンロ）１においては、上述のように、ガス調理器本体Ｈの右側の前面パネルの右下の左側にグリル用の調理設定部９３（図１、図２Ｂ）が設けられている。
【００６５】
また、この実施形態のガス調理器（ガスコンロ）１は、グリル用の調理設定部９３により設定した条件で、グリル部２ｂによる自動調理を行うことができるように構成されており、グリル用の調理設定部９３を用いたグリル部２ｂによる自動調理には、制御部が、グリルバーナ（図示せず）の燃焼を停止する調理モードが含まれている。
【００６６】
グリル部２ｂによる調理設定の入力を行うためのグリル用の調理設定部９３は、図２Ｂに示すように、グリル部２ｂによる調理時間（焼成時間）を設定するためのタイマスイッチ（タイマ設定入力部）９３ｂ、上火、下火の火力を切換るための火力切替スイッチ９３ｃ、焼成するメニューを選んで該当する焼成物に対応した焼成制御を選択するためのメニュースイッチ９３ｄ、焼き加減を調整するための焼き加減スイッチ９３ｅ、上記タイマスイッチ（タイマ設定入力部）９３ｂ、火力切替スイッチ９３ｃ、メニュースイッチ９３ｄ、焼き加減スイッチ９３ｅなどを操作して設定した各入力を取り消すための取消しスイッチ９３ｆなどを備えている。
【００６７】
また、グリル用の調理設定部９３は、タイマスイッチ（タイマ設定入力部）９３ｂにより設定された調理時間を表示する表示部１２０を備えている。
【００６８】
なお、この実施形態のガス調理器（ガスコンロ）１において、コンロバーナ３１によって自動調理を行い、制御部が、自動的にコンロバーナ３１の燃焼を停止したとき、制御部は、点消火ボタン１４ａや点消火ボタン１４ｃを消火位置に戻すように促す報知を行うように構成されている。この報知としては、「ピッピッピッ」というブザーによる報知を５分間隔で繰り返すように構成されている。
【００６９】
また、グリル部２ｂにおいてグリルバーナ（図示せず）によって自動調理を行い、制御部が、自動的にグリルバーナの燃焼を停止したとき、制御部は、点消火ボタン１４ｂを消火位置に戻すように促す報知を行うように構成されている。この報知も、「ピッピッピッ」というブザーによる報知を５分間隔で繰り返すように構成されている。
【００７０】
＜特徴的構成＞
次に、本発明の実施形態にかかるガス調理器（ガスコンロ）１の特徴的な構成について説明する。
【００７１】
本実施形態にかかるガス調理器（ガスコンロ）１は、上方の開口部がトッププレート１１に覆われたガス調理器本体Ｈに収容され、環状に形成された炎孔部３１ａをトッププレート１１の上方に臨ませて配設されたコンロバーナ（ガスバーナ）３１と、このコンロバーナ３１の平面視中央に設けられた貫通口３１ｂを上下に挿通される調理容器温度検出手段（温度センサ）２６と、このコンロバーナ３１による加熱を制御する制御部２０（後述の図５参照）とを備えている。
【００７２】
制御部２０は、コンロバーナ３１やグリルバーナによる自動調理の終了時（調理終了時）にコンロバーナ３１やグリルバーナによる加熱を停止する自動調理を実行する機能を果たすように構成されている。
また、ガス調理器（ガスコンロ）１は、前述のように、自動調理における調理条件を設定する調理設定部７（図２Ａ参照）を備えている。
【００７３】
そして、ガス調理器本体Ｈが備える制御部２０（図５参照）は、コンロ用の調理設定部７、グリル用の調理設定部９３における設定情報を記憶することができるように構成されている。
【００７４】
ここで、本実施形態にかかるガス調理器１における、上述の設定情報には、次のような項目がある。すなわち、
ａ）コンロバーナ３１やグリルバーナ（図示せず）による加熱量に所定の上限値を設定する省エネモードを実行するか否かの設定、つまり、省エネモードのＯＮ／ＯＦＦに関する設定情報、
ｂ）コンロ用の調理設定部７や、グリル用の調理設定部９３において、音による報知を行う時の報知音の大小に関する設定情報、
ｃ）コンロ用の調理設定部７や、グリル用の調理設定部９３において用いた調理メニューの履歴を保存するか否かに関する設定情報、
ｄ）コンロ用の調理設定部７や、グリル用の調理設定部９３において用いた調理メニューの履歴を保存する設定を行った場合には、メニューの使用履歴そのものの、つまり、調理メニューの設定の履歴に関する情報、
などである。
【００７５】
また、ガス調理器本体Ｈには、外部機器２Ｘとの間で通信信号の送受信を行う送受信部２２（図５）を備えている。
そして、外部機器２Ｘは、上記制御部２０から、送受信部２２を経て送信される、コンロ用の調理設定部７（図１、図２Ａ）や、グリル用の調理設定部９３（図１、図２Ｂ）における設定情報を記憶するための設定情報記憶部３４（図５）と、ガス調理器（ガスコンロ）１の送受信部２２との間で送受信を行う送受信部３２を備えている。すなわち、制御部２０から外部機器２Ｘに対して、設定情報を送信することが可能で、外部機器２Ｘの設定情報記憶部３４にガス調理器１の設定情報を記憶することができるように構成されている。
【００７６】
なお、外部機器２Ｘとしては、当該ガス調理器（ガスコンロ）１専用の端末機器を用いてもよいし、他の汎用の端末機器（例えば、スマートフォンなどの携帯電話）を用いることも可能である。
【００７７】
なお、上記設定情報としては、前述のａ）〜ｄ）の情報が含まれ、これらの設定情報は制御部２０が備える情報一時記憶部２１に一旦保存され、送受信部２２を介して、外部機器２Ｘが備える設定情報記憶部３４に転送される。
【００７８】
このように構成されているので、ガス調理器本体Ｈが備える制御部２０の動作に支障が生じたり、制御部２０が故障したりしたときにも、外部機器２Ｘの設定情報記憶部３４が記憶した設定情報を、外部機器２Ｘの送受信部３２から、ガス調理器本体Ｈの送受信部２２を経て制御部２０に送信することにより、
使用者によって設定された設定情報に応じて、簡単に、自動調理に関する調理設定部の設定が行われることになり、使い勝手の良いガス調理器を提供することができる。
【００７９】
また、本実施形態では、図４Ａに示すように、ガス調理器本体Ｈが備える制御部２０（図５参照）が、無線によって無線ルータ（無線中継器）３Ｘと接続され、無線ルータ３Ｘは、インターネット（通信経路）Ｘを介して外部機器２Ｘに接続されており、インターネットＸを介して制御部２０と外部機器２Ｘとの間で通信信号の送受信を行い、外部機器２Ｘへの設定情報の送信が行われるように構成されているため、ガス調理器１と外部機器２Ｘとの間で通信信号の送受信を行うための配線の接続が不要で、構成を簡略化することができる。
【００８０】
本実施形態にかかるガス調理器１は、このように構成されているので、外部機器２Ｘが離れた場所にあっても、外部機器２Ｘへの設定情報の送信を容易かつ確実に行うことができる。
【００８１】
なお、上述のように、インターネットＸを介してガス調理器１と外部機器２Ｘとの間で通信信号の送受信を行うようにした点は、任意の構成であり、例えば図４Ｂに示すように、ガスコンロ本体Ｈが備える制御部２０が、無線ルータ（無線中継器）３Ｘと無線によって接続され、外部機器２Ｘが無線ルータ３Ｘとの間で直接無線通信を行い、インターネットＸを介さず、外部機器２Ｘへの設定情報の送信が行われるように構成することも可能である。
【００８２】
また、図４Ｃに示すように、ガス調理器１が備える制御部２０（図５）が備える送受信部２２が携帯電話回線Ｚを介して外部機器２Ｘとの間で通信信号の送受信を行うように構成することも可能である。
【００８３】
この場合、制御部２０（図５）が備える送受信部２２が、携帯電話回線Ｚを介して外部機器２Ｘに対する発呼を行い、外部機器２Ｘがこの発呼に対して応答することで携帯電話回線Ｚが接続され、外部機器２Ｘへの設定情報の送信が完了した後、携帯電話回線Ｚが切断されることになる。
【００８４】
制御部２０が備える送受信部２２が携帯電話回線Ｚを介して外部機器２Ｘとの間で通信信号の送受信を行うように構成した場合も、外部機器２Ｘが離れた場所にあっても、外部機器２Ｘへの設定情報の送信を行うことが可能である。
【００８５】
また、図４Ｄに示すように、携帯電話回線ではない無線通信回線Ｙにより、ガス調理器本体Ｈの制御部２０が備える送受信部２２と外部機器２Ｘとの間で通信信号の送受信を行うように構成することも可能である。
【００８６】
なお、本実施形態では、ガス調理器（ガスコンロ）１を特定するＩＤコード（例えば、製造された複数のガス調理器（ガスコンロ）１のそれぞれに付与され、それぞれのガス調理器（ガスコンロ）１毎に異なる製造番号など）が付与されており、外部機器２Ｘの設定情報記憶部３４には、ガス調理器（ガスコンロ）１から、送受信部２２を経て外部機器２Ｘに送信される上述の設定情報とともにＩＤコードが記憶されるように構成されている。
【００８７】
上述のように構成した場合、一つの外部機器２Ｘが備える設定情報記憶部３４に、複数のガス調理器１に関する設定情報を記憶させた場合であっても、いずれのガス調理器１に関する設定情報であるかを確実に認識することが可能になる。したがって、一つの外部機器２Ｘが備える設定情報記憶部３４に、複数のガス調理器１に関する設定情報を記憶させる場合においても、各ガス調理器（ガスコンロ）１に対する設定情報を適正に確認することができるので効率よく、信頼性の高いガス調理器１を実現することができる。
【００８８】
［別実施形態］
図６は、本発明の別実施形態にかかるにガス調理器１Ａと、外部機器（第１外部機器１２Ｘ、第２外部機器２２Ｘ）との無線通信の概要を示すブロック図である。以下にこのガス調理器１Ａについて詳しく説明する。
【００８９】
このガス調理器（ガス調理器）１Ａにおいても、ガス調理器本体Ｈの制御部２０は、上述の実施形態にかかるガス調理器１（図５）の場合と同様に、情報一時記憶部（不揮発性メモリ）２１と、送受信部２２とを備えている。
【００９０】
一方、外部機器としては、第１外部機器１２Ｘと、第２外部機器２２Ｘの２つの外部機器を備えた構成とされている。すなわち、外部機器が、サーバである第１外部機器１２Ｘと、端末機器である第２外部機器２２Ｘとから構成されている。
【００９１】
なお、上述の第１外部機器１２Ｘは、インターネットに接続されるサーバであって、設定情報記憶部（不揮発性メモリ）１３４と、送受信部１３２を備えている。
【００９２】
また、第２外部機器２２Ｘは、第１外部機器１２Ｘとの間で送受信を行うための送受信部２３２と、第１外部機器１２Ｘの設定情報記憶部１３４が記憶する設定情報を表示するとともに、条件の設定入力などの操作を行うための操作・表示部２３３とを備えた端末機器であり、例えば、スマートフォンなどがこの第２外部機器２２Ｘとして用いられる。
【００９３】
この別実施形態のガスコンロシステムの場合、送受信部２３２と、操作・表示部２３３とを備えた第２外部機器（例えばスマートフォンなどの端末機器）２２Ｘが、第１外部機器（サーバ）１２Ｘとの間で通信を行って、第１外部機器（サーバ）１２Ｘの設定情報記憶部１３４に記憶されている設定情報を、第２外部機器（例えばスマートフォン）２２Ｘの操作・表示部２３３に表示するとともに、第２外部機器２２Ｘの操作・表示部２３３を操作することにより、第１外部機器１２Ｘの設定情報記憶部１３４が記憶する設定情報を、ガス調理器本体Ｈの制御部２０に送ることができるように構成されている。
【００９４】
また、この場合、第１外部機器１２Ｘ（サーバ）に必要な設定情報が保存されるため、信頼性の高いガスコンロシステムを構築することができる。
【００９５】
上述の実施形態では、ビルトインタイプのガスコンロ（グリル付きガスコンロ）に本発明を適用した場合を例示したが、本発明は、卓上設置型のテーブルコンロにも適用することが可能である。また、本発明はグリルを備えていないガスコンロにも適用することが可能である。
【００９６】
本発明は、さらにその他の点においても上記実施形態に限定されるものではなく、本発明の範囲内において種々の変形を加えることが可能である。
【符号の説明】
【００９７】
１、１Ａ  ガス調理器（ガスコンロ）
２        加熱部
２ａ      コンロ部
２ｂ      グリル部
２Ｘ      スマートフォンなどの外部機器
３Ｘ      無線中継器（無線ルータ）
６        ガス弁ブロック（ガス量調節部）
７        コンロ用の調理設定部
１１      トッププレート
１２      前面部
１２Ｘ    第１外部機器
１３      電池ケース
１４（１４ａ、１４ｂ、１４ｃ）    点消火ボタン（加熱／停止手動操作部）
１５      火力調節レバー
２０      ガス調理器本体の制御部
２１      ガス調理器本体の情報一時記憶部
２２      ガス調理器本体の送受信部
２２Ｘ    第２外部機器
２３      点火装置
２４      点火検知装置
２５      容器検知手段
２６      調理容器温度検出手段（温度センサ）
２８      グリル扉
３１      コンロバーナ（ガスバーナ）
３１ａ    コンロバーナの炎孔部
３１ｂ    コンロバーナの貫通口
３２      外部機器の送受信部
３３      外部機器の操作・表示部
３４      外部機器の設定情報記憶部（不揮発性メモリ）
４１      五徳
７１      オートメニュー設定部
７２      オートメニュー表示部
７３      タイマ入力部
７４      タイマ表示部
９３      グリル用の調理設定部
１２０    グリル用の調理設定部におけるタイマ表示部
１３２    第１外部機器の送受信部
１３４    第１外部機器の設定情報記憶部
２３２    第２外部機器の送受信部
２３３    第２外部機器の操作・表示部
Ｈ        ガス調理器本体（ガスコンロ本体）
Ｘ        通信経路（インターネット）
Ｙ        通信経路（無線通信回路）
Ｚ        通信経路（携帯電話回線）
【図１】
2019002633.tif 000004
【図２Ａ】
2019002633.tif 000005
【図２Ｂ】
2019002633.tif 000006
【図３Ａ】
2019002633.tif 000007
【図３Ｂ】
2019002633.tif 000008
【図３Ｃ】
2019002633.tif 000009
【図４Ａ】
2019002633.tif 000010
【図４Ｂ】
2019002633.tif 000011
【図４Ｃ】
2019002633.tif 000012
【図４Ｄ】
2019002633.tif 000013
【図５】
2019002633.tif 000014
【図６】
2019002633.tif 000015